(57)【要約】【課題】給水の際に蒸気管路から蒸気が排出されることを防ぐアンダーカウンター式飲料用ディスペンサを提供する。【解決手段】アンダーカウンター式飲料用ディスペンサは、電動水栓１０及び給水部２０を備える。電動水栓１０は、管線部及び制御装置を有する。管線部は、液体が流れる少なくとも１つの排水管路１２と、水蒸気が流れる蒸気管路１３とを有する。蒸気管路１３にはバルブ１４が設けられる。制御装置は、制御回路１６及びコントローラ１５を有する。制御回路１６は、コントローラ１５及びバルブ１４に接続され、注水端部１７を有し、制御回路１６がコントローラ１５により制御されて注水信号が生成されると、同時にバルブ１４を閉めて蒸気管路を閉じる。【選択図】図３
0003166606.tif 000002
【実用新案登録請求の範囲】
【請求項１】
電動水栓及び給水部を備えるアンダーカウンター式飲料用ディスペンサであって、
前記電動水栓は、管線部及び制御装置を有し、前記管線部は、液体が流れる少なくとも１つの排水管路と、水蒸気が流れる蒸気管路と、を有し、前記蒸気管路にはバルブが設けられ、前記制御装置は、制御回路及びコントローラを有し、前記制御回路は、前記コントローラ及び前記バルブに接続され、注水端部を有し、前記制御回路が前記コントローラにより制御されて注水信号が生成されると、同時に前記バルブを閉めて前記蒸気管路を閉じ、
前記給水部は、液体を貯留する少なくとも１つの貯水タンクを有し、前記管線部には、注水装置を有する前記貯水タンクが接続され、前記注水装置は、前記注水端部に接続され、前記注水信号を受取ると、前記管線部に液体が注入されることを特徴とするアンダーカウンター式飲料用ディスペンサ。
【請求項２】
前記バルブは、接続された前記制御回路により制御され、選択的に前記バルブをオフすることを特徴とする請求項１に記載のアンダーカウンター式飲料用ディスペンサ。
【請求項３】
前記貯水タンクは、熱水タンク、通水管路、加熱容器及び加熱器を有し、
前記熱水タンクは、熱水注水口、蒸気排出口、熱水流入口、冷水流出口及び冷水流入口を有し、
前記冷水流入口は、前記注水装置に接続され、前記通水管路は、前記冷水流入口と前記冷水流出口とを連通し、前記冷水流出口が前記加熱容器に接続され、前記加熱容器に前記加熱器が配置され、前記加熱容器内の水を加熱し、前記加熱容器が前記熱水流入口に接続され、前記熱水注水口が前記排水管路に接続され、前記蒸気排出口が前記蒸気管路に接続されることを特徴とする請求項１に記載のアンダーカウンター式飲料用ディスペンサ。
【請求項４】
前記加熱容器には、前記加熱器を摺設させるスライド溝が設けられていることを特徴とする請求項３に記載のアンダーカウンター式飲料用ディスペンサ。
【考案の詳細な説明】
【技術分野】
【０００１】
本考案は、ディスペンサの水栓に関し、特に、アンダーカウンター式飲料用ディスペンサの電動水栓に関する。
【背景技術】
【０００２】
図１を参照する。図１に示すように、従来のアンダーカウンター式飲料用ディスペンサは、温水器本体１、逆浸透膜本体２及び水栓３を有する。水栓３と温水器本体１との間には、温水器本体１内の水蒸気を排出するために用いる蒸気管４が設けられている。
【０００３】
従来のアンダーカウンター式飲料用ディスペンサの蒸気管４の排出口は、飲料水注水口５の近傍に設けられたり、排水管に接続されたりするため、ユーザが飲用するために取水する際、蒸気管４から排出された水蒸気又は高温の水滴により、ユーザが火傷をする虞があった。また、蒸気管４は、温水器本体１内の貯水タンク２１に直接連通されているため、温水器本体１から水が出るときに、蒸気管４から熱湯が排出され、ユーザが火傷したり、水資源を浪費したりする虞がある。
【考案の概要】
【考案が解決しようとする課題】
【０００４】
本考案の目的は、給水の際に蒸気管路から蒸気が排出されることを防ぐアンダーカウンター式飲料用ディスペンサを提供することにある。
【課題を解決するための手段】
【０００５】
上記課題を解決するために、本考案の第１の形態によれば、電動水栓及び給水部を備えるアンダーカウンター式飲料用ディスペンサであって、前記電動水栓は、管線部及び制御装置を有し、前記管線部は、液体が流れる少なくとも１つの排水管路と、水蒸気が流れる蒸気管路と、を有し、前記蒸気管路にはバルブが設けられ、前記制御装置は、制御回路及びコントローラを有し、前記制御回路は、前記コントローラ及び前記バルブに接続され、注水端部を有し、前記制御回路が前記コントローラにより制御されて注水信号が生成されると、同時に前記バルブを閉めて前記蒸気管路を閉じ、前記給水部は、液体を貯留する少なくとも１つの貯水タンクを有し、前記管線部には、注水装置を有する前記貯水タンクが接続され、前記注水装置は、前記注水端部に接続され、前記注水信号を受取ると、前記管線部に液体が注入されることを特徴とするアンダーカウンター式飲料用ディスペンサが提供される。
【０００６】
また、前記バルブは、接続された前記制御回路により制御され、選択的に前記バルブをオフすることが好ましい。
【０００７】
また、前記貯水タンクは、熱水タンク、通水管路、加熱容器及び加熱器を有し、前記熱水タンクは、熱水注水口、蒸気排出口、熱水流入口、冷水流出口及び冷水流入口を有し、前記冷水流入口は、前記注水装置に接続され、前記通水管路は、前記冷水流入口と前記冷水流出口とを連通し、前記冷水流出口が前記加熱容器に接続され、前記加熱容器に前記加熱器が配置され、前記加熱容器内の水を加熱し、前記加熱容器が前記熱水流入口に接続され、前記熱水注水口が前記排水管路に接続され、前記蒸気排出口が前記蒸気管路に接続されることが好ましい。
【０００８】
また、前記加熱容器には、前記加熱器を摺設させるスライド溝が設けられていることが好ましい。
【考案の効果】
【０００９】
本考案のアンダーカウンター式飲料用ディスペンサは、給水の際に蒸気管路から蒸気が排出されることを防ぐことができる。
【図面の簡単な説明】
【００１０】
【図１】従来のアンダーカウンター式飲料用ディスペンサの配置を示す側面図である。
【図２】本考案の一実施形態によるアンダーカウンター式飲料用ディスペンサの電動水栓を示す斜視図である。
【図３】本考案の一実施形態によるアンダーカウンター式飲料用ディスペンサを示す断面図である。
【図４】本考案の一実施形態によるアンダーカウンター式飲料用ディスペンサの貯水タンクの構造を示す概略図である。
【図５】本考案の一実施形態によるアンダーカウンター式飲料用ディスペンサの加熱器を示す斜視図である。
【図６】本考案の他の実施形態によるアンダーカウンター式飲料用ディスペンサを示す断面図である。
【考案を実施するための形態】
【００１１】
図２及び図３を参照する。図２及び図３に示すように、本考案の一実施形態によるアンダーカウンター式飲料用ディスペンサは、電動水栓１０及び給水部２０を有する。電動水栓１０は、カウンター３０の表面に凸設されている。給水部２０は、カウンター３０の内部に配置されている。給水部２０は、貯水するために１つ又は複数の貯水タンク２１を有し、濾過器、逆浸透膜浄水器などの浄水装置２２を配置してもよい。浄水装置２２は、貯水タンク２１に接続され、外部の水源を前処理した後、貯水タンク２１内に貯留する。貯水タンク２１には、加圧モータ、電磁弁などの注水装置２３が取り付けられている。注水装置２３は、浄水装置２２と貯水タンク２１との間に接続され、貯水タンク２１内に貯留した液体を電動水栓１０に送り、ユーザが水を容器に入れたり飲料したりするために用いる。
【００１２】
図４を参照する。図４に示すように、貯水タンク２１は、熱水タンク２１１、通水管路２１２、加熱容器２１３及び加熱器２１４を有してもよい。
【００１３】
熱水タンク２１１は、熱水注水口２１５、蒸気排出口２１６、熱水流入口２１７、冷水流出口２１８及び冷水流入口２１９を有する。冷水流入口２１９は、注水装置２３に接続されている。通水管路２１２は、冷水流入口２１９と冷水流出口２１８とを連通するために用い、冷水流出口２１８が加熱容器２１３に接続されている。加熱器２１４は、加熱容器２１３に配置され、加熱容器２１３内の水を加熱するために用いる。加熱容器２１３は、熱水流入口２１７に接続されてもよい。これにより、注水装置２３をオンすると、注水装置２３を介して水が冷水流入口２１９から入り、通水管路２１２及び冷水流出口２１８を通って加熱容器２１３に入り、加熱器２１４により加熱した後、熱水タンク２１１に送られる。冷水が加熱容器２１３に入る前に、熱水タンク２１１内に貫設された通水管路２１２を水が流れて加熱されるため、加熱に必要な時間を短縮することができる。
【００１４】
また、本考案の一実施形態による加熱器２１４は、図４に示すように、加熱容器２１３の内部に差込んで取り付けたり、図５に示すように、加熱容器２１３に形成されたスライド溝２１３１に、加熱器２１４を摺設したりしてもよい。このように、加熱器２１４は、着脱自在に設けられるため、ユーザ自ら交換することができる。このように、加熱器２１４が損壊したときに、取り外して修理したり新しい物に交換したりすることができるため、簡便にメンテナンスを行うことができる。
【００１５】
図３を再び参照する。図３に示すように、電動水栓１０は、水栓１１、管線部及び制御装置を有する。水栓１１は、カウンター３０の表面に凸設されている。管線部は、貯水タンク２１に連通し、少なくとも１つの注水管路１２及び蒸気管路１３を有する。注水管路１２及び蒸気管路１３の両端は、水栓１１及び貯水タンク２１にそれぞれ固設されている。更に詳細には、注水管路１２が熱水注水口２１５に接続されて蒸気管路１３が蒸気排出口２１６に接続されたり、或いは、図６に示すように、蒸気管路１３の両端が注水管路１２及び水栓１１に固設され、注水管路１２により、貯水タンク２１内の液体を排水し、蒸気管路１３により貯水タンク２１内の水蒸気を排出させたりしてもよい。ユーザが接近したときに、排出された水蒸気によりユーザが火傷することを防ぐために、水栓１１の端部に固設された注水管路１２と蒸気管路１３とを互いに離れるように配置してもよい。蒸気管路１３には、バルブ１４が更に設けられている。このバルブ１４は、モータ、電磁弁などの動力装置を有し、駆動されて選択的にオフすると、蒸気管路１３が閉じられる。図２及び図３を再び参照する。図２及び図３に示すように、制御装置は、コントローラ１５及び制御回路１６を有する。コントローラ１５は、ユーザが操作することができるように、様々なセンサ式又は押しボタン式でもよい。制御回路１６は、コントローラ１５及びバルブ１４に接続されるとともに、バルブ１４の動力装置及び注水端部１７に接続されている。注水端部１７は、注水装置２３に接続され、コントローラ１５の制御により制御回路１６が注水信号を生成すると、注水装置２３の注水が制御され、注水装置２３により注水信号を受けると、管線部に液体が流出され、制御装置が注水信号を生成すると同時にバルブ１４を閉じる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１        温水器本体
２        逆浸透膜本体
３        水栓
４        蒸気管
５        注水口
１０      電動水栓
１１      水栓
１２      排水管路
１３      蒸気管路
１４      バルブ
１５      コントローラ
１６      制御回路
１７      注水端部
２０      給水部
２１      貯水タンク
２２      浄水装置
２３      注水装置
３０      カウンター
２１１    熱水タンク
２１２    通水管路
２１３    加熱容器
２１４    加熱器
２１５    熱水注水口
２１６    蒸気排出口
２１７    熱水流入口
２１８    冷水流出口
２１９    冷水流入口
２１３１  スライド溝
【図１】
0003166606.tif 000003
【図２】
0003166606.tif 000004
【図３】
0003166606.tif 000005
【図４】
0003166606.tif 000006
【図５】
0003166606.tif 000007
【図６】
0003166606.tif 000008